(57)【要約】【課題】速やかに測定を開始することができ、かつ、ユーザにキャリブレーションを考慮した正確な測定結果を提供することが可能な体重測定機能を有する測定装置を提供する。【解決手段】この体重計１（体重測定機能を有する測定装置）は、体重計本体１１と、重量を測定する荷重センサ１２と、荷重センサ１２の重量測定動作を制御するＭＰＵ１６とを備え、ＭＰＵ１６は、ユーザが体重計本体１１に乗った状態のキャリブレーション前の体重を測定した後、キャリブレーション前の体重測定結果を出力するとともに、ユーザが体重計本体１１に乗っていない状態のキャリブレーション用の基準重量を測定する制御を行い、かつ、キャリブレーション前の体重とキャリブレーション用の基準重量との差分に基づいてキャリブレーション後のユーザの体重測定結果を取得して、出力する制御を行うように構成されている。【選択図】図２
2014089177.tif 000002
【特許請求の範囲】
【請求項１】
測定装置本体と、
重量を測定する測定部と、
前記測定部による重量測定動作を制御する測定装置側制御部とを備え、
前記測定装置側制御部は、ユーザが前記測定装置本体に乗った状態のキャリブレーション前の体重を測定した後、キャリブレーション前の体重測定結果を出力するとともに、ユーザが前記測定装置本体に乗っていない状態のキャリブレーション用の基準重量を測定する制御を行い、かつ、前記ユーザが測定装置本体に乗った状態のキャリブレーション前の体重と前記キャリブレーション用の基準重量との差分に基づいてキャリブレーション後のユーザの体重測定結果を取得して、前記キャリブレーション後の体重測定結果を出力する制御を行うように構成されている、体重測定機能を有する測定装置。
【請求項２】
ユーザが前記測定装置本体に乗ったことを検知する検知部をさらに備え、
前記測定装置側制御部は、ユーザが前記測定装置本体に乗ったことが前記検知部により検知されたことに基づいて、前記測定装置本体の電源をオンにする制御を行うように構成されている、請求項１に記載の体重測定機能を有する測定装置。
【請求項３】
外部表示装置と通信可能な測定装置側通信部をさらに備え、
前記測定装置側制御部は、前記キャリブレーション前の体重測定結果を前記外部表示装置に送信した後、前記測定装置側通信部を介して前記キャリブレーション後の体重測定結果を前記外部表示装置に送信する制御を行うように構成されている、請求項１または２に記載の体重測定機能を有する測定装置。
【請求項４】
外部記憶装置と通信可能な測定装置側通信部をさらに備え、
前記測定装置側制御部は、前記キャリブレーション前の体重測定結果を前記外部記憶装置に送信した後、前記測定装置側通信部を介して前記キャリブレーション後の体重測定結果を前記外部記憶装置に送信する制御を行うように構成されている、請求項１または２に記載の体重測定機能を有する測定装置。
【請求項５】
表示部と、
ユーザが測定装置本体に乗った状態のキャリブレーション前の体重測定結果を体重測定機能を有する測定装置から受信した後、ユーザが前記測定装置本体に乗っていない状態のキャリブレーション用の基準重量の測定結果を前記体重測定機能を有する測定装置から受信する表示装置側受信部と、
前記表示部に表示する表示動作を制御する表示装置側制御部とを備え、
前記表示装置側制御部は、前記キャリブレーション前の体重測定結果を前記表示部に表示するとともに、前記キャリブレーション前の体重測定結果と前記キャリブレーション用の基準重量との差分に基づいてキャリブレーション後のユーザの体重測定結果を取得して、前記キャリブレーション後の体重測定結果を前記表示部に表示する制御を行うように構成されている、表示装置。
【請求項６】
表示装置本体を操作するリモコンをさらに備え、
前記表示装置側制御部は、ユーザによる前記リモコンの操作によりユーザの体重を測定する体重測定モードに移行する制御を行うように構成されている、請求項５に記載の表示装置。
【請求項７】
前記表示装置側制御部は、前記体重測定モードにおいて、前記表示部にユーザに対して着用している衣服についての問い合わせを表示するとともに、前記問い合わせに対するユーザの前記リモコンを用いた回答に基づいて、衣服を着用していないとした場合のユーザの体重を推測して、前記衣服を着用していないとした場合のユーザの体重の測定結果を前記表示部に表示する制御を行うように構成されている、請求項６に記載の表示装置。
【請求項８】
前記表示装置側制御部は、前記キャリブレーション前の体重測定結果である第１体重測定結果と、前記キャリブレーション前の体重測定結果よりも以前のキャリブレーション前の体重測定結果である第２体重測定結果との差分を取得し、前記差分が所定の閾値以下の場合に、前記問い合わせの表示を行うことなく、前記第２体重測定結果の取得時の衣服の重さに基づいて、衣服を着用していないとした場合のユーザの体重の測定結果を前記表示部に表示する制御を行うように構成されている、請求項７に記載の表示装置。
【請求項９】
前記表示装置側制御部は、前記キャリブレーション前の体重測定結果である第１体重測定結果と、前記キャリブレーション前の体重測定結果よりも以前のキャリブレーション前の体重測定結果である第２体重測定結果との差分を取得し、前記差分が所定の閾値よりも大きい場合に、前記問い合わせの表示を行い、前記問い合わせに対するユーザの前記リモコンを用いた回答に基づいて、前記衣服を着用していないとした場合のユーザの体重の測定結果を前記表示部に表示する制御を行うように構成されている、請求項７または８に記載の表示装置。
【請求項１０】
前記表示装置側制御部は、ユーザによる前記リモコンの操作により、前記衣服を着用していない場合のユーザの体重の測定をするか否かの設定と、前記衣服の重量の設定とを行うための設定変更モードに移行する制御を行うように構成されている、請求項７〜９のいずれか１項に記載の表示装置。
【請求項１１】
ユーザの前記衣服を撮像する撮像部をさらに備え、
前記表示装置側制御部は、前記撮像部で予め撮像された複数の衣服の画像を、前記問い合わせの際に選択可能に表示するとともに、選択された画像に基づいて、前記選択された画像の衣服を着用していないとした場合のユーザの体重を推測して、前記画像の衣服を着用していないとした場合のユーザの体重の測定結果を前記表示部に表示する制御を行うように構成されている、請求項７〜１０のいずれか１項に記載の表示装置。
【請求項１２】
外部記憶装置と通信可能な表示装置側通信部をさらに備え、
前記表示装置側通信部を介して、前記キャリブレーション前の体重測定結果と、前記キャリブレーション用の基準重量の測定結果とを前記外部記憶装置から受信するように構成されている、請求項５〜１１のいずれか１項に記載の表示装置。
【請求項１３】
測定装置本体と、重量を測定する測定部と、ユーザが前記測定装置本体に乗った状態のキャリブレーション前の体重を測定した後、キャリブレーション前の体重測定結果を出力するとともに、ユーザが前記測定装置本体に乗っていない状態のキャリブレーション用の基準重量を測定する制御を行う測定装置側制御部とを含む体重測定機能を有する測定装置と、
表示部と、前記体重測定機能を有する測定装置から測定結果を受信する表示装置側受信部と、前記表示部に表示する表示動作を制御する表示装置側制御部と含む表示装置とを備え、
前記測定装置側制御部または前記表示装置側制御部のいずれか一方は、前記測定部により測定された前記ユーザが測定装置本体に乗った状態のキャリブレーション前の体重と前記キャリブレーション用の基準重量との差分に基づいてキャリブレーション後のユーザの体重測定結果を取得する制御を行うように構成され、
前記表示装置側制御部は、前記キャリブレーション前の体重測定結果を前記表示部に表示した後、前記キャリブレーション後の体重測定結果を前記表示部に表示する制御を行うように構成されている、体重測定システム。
【請求項１４】
ユーザが前記測定装置本体に乗ったことを検知する検知部をさらに備え、
前記測定装置側制御部は、ユーザが前記測定装置本体に乗ったことが前記検知部により検知されたことに基づいて、前記測定装置本体の電源をオンにする制御を行うように構成されている、請求項１３に記載の体重測定システム。
【請求項１５】
前記表示装置は、据置型のテレビジョン装置または携帯型端末装置の少なくとも一方を含む、請求項１３または１４に記載の体重測定システム。
【請求項１６】
前記表示装置としての前記テレビジョン装置を操作するリモコンをさらに備え、
前記表示装置側制御部は、ユーザによる前記リモコンの操作により、ユーザの体重を測定する体重測定モードに移行する制御を行うように構成されている、請求項１５に記載の体重測定システム。
【請求項１７】
前記表示装置側制御部は、前記体重測定モードにおいて、前記表示部にユーザに対して着用している衣服についての問い合わせを表示するとともに、前記問い合わせに対するユーザの前記リモコンを用いた回答に基づいて、衣服を着用していない場合のユーザの体重を推測して、ユーザの体重の測定結果を前記表示部に表示する制御を行うように構成されている、請求項１６に記載の体重測定システム。
【請求項１８】
前記表示装置側制御部は、前記キャリブレーション前の体重測定結果である第１体重測定結果と、前記キャリブレーション前の体重測定結果よりも以前のキャリブレーション前の体重測定結果である第２体重測定結果との差分を取得し、前記差分が所定の閾値以下の場合に、前記問い合わせの表示を行うことなく、前記第２体重測定結果の取得時の衣服の重さに基づいて衣服を着用していないとした場合のユーザの体重の測定結果を前記表示部に表示する制御を行うように構成されている、請求項１７に記載の体重測定システム。
【請求項１９】
前記測定装置側制御部は、少なくとも前記ユーザが測定装置本体に乗った状態のキャリブレーション前の体重測定結果を前記据置型のテレビジョン装置に送信する際に、前記据置型のテレビジョン装置が認識されない場合には、前記携帯型端末装置に少なくとも前記ユーザが測定装置本体に乗った状態のキャリブレーション前の体重測定結果を送信する制御を行うように構成されている、請求項１５〜１８のいずれか１項に記載の体重測定システム。
【請求項２０】
前記体重測定機能を有する測定装置から測定結果を受信する外部記憶装置側受信部と、前記外部記憶装置側受信部により受信した前記測定結果を記憶する記憶部と、前記記憶部に前記記憶された測定結果を前記表示装置へ送信する外部記憶装置側送信部と、前記測定装置および前記表示装置とは別個に設けられた外部記憶装置をさらに備える、請求項１３〜１９のいずれか１項に記載の体重測定システム。
【発明の詳細な説明】
【技術分野】
【０００１】
この発明は、体重測定機能を有する測定装置、表示装置および体重測定システムに関し、特に、キャリブレーションを行う体重測定機能を有する測定装置、表示装置および体重測定システムに関する。
【背景技術】
【０００２】
従来、キャリブレーションを行う体重測定機能を有する測定装置が知られている（たとえば、特許文献１参照）。
【０００３】
上記特許文献１には、装置本体（測定装置本体）と、重量を測定する荷重検知部（測定部）と、荷重検知部による重量測定動作を制御する制御部とを備えた体組成計（体重測定機能を有する測定装置）が開示されている。この体組成計は、キャリブレーションに代えて、予め設定された０ｋｇ基準値を用いることにより、ユーザの体重を測定するように構成されている。これにより、キャリブレーションを行う場合に比べて、測定開始までにかかる時間を短縮している。また、この体組成計は、ユーザが体組成計に乗る前にキャリブレーションを行う通常の測定を１０回以上行うことにより、蓄積されたキャリブレーションの結果を用いて、０ｋｇ基準値を取得するように構成されている。
【先行技術文献】
【特許文献】
【０００４】
【特許文献１】ＷＯ２０１０／０７３６８２Ａ１号公報
【発明の概要】
【発明が解決しようとする課題】
【０００５】
しかしながら、上記特許文献１に記載の体組成計では、ユーザが体組成計に乗る前に０ｋｇ基準値を取得するまでキャリブレーションを行う必要があるので、測定開始までに時間がかかるという問題点がある。
【０００６】
この発明は、上記のような課題を解決するためになされたものであり、この発明の１つの目的は、速やかに測定を開始することができ、かつ、ユーザにキャリブレーションを考慮した正確な測定結果を提供することが可能な体重測定機能を有する測定装置、表示装置および体重測定システムを提供することである。
【課題を解決するための手段】
【０００７】
この発明の第１の局面による体重測定機能を有する測定装置は、測定装置本体と、重量を測定する測定部と、測定部による重量測定動作を制御する測定装置側制御部とを備え、測定装置側制御部は、ユーザが測定装置本体に乗った状態のキャリブレーション前の体重を測定した後、キャリブレーション前の体重測定結果を出力するとともに、ユーザが測定装置本体に乗っていない状態のキャリブレーション用の基準重量を測定する制御を行い、かつ、ユーザが測定装置本体に乗った状態のキャリブレーション前の体重とキャリブレーション用の基準重量との差分に基づいてキャリブレーション後のユーザの体重測定結果を取得して、キャリブレーション後の体重測定結果を出力する制御を行うように構成されている。
【０００８】
この発明の第１の局面による体重測定機能を有する測定装置では、上記のように、ユーザが測定装置本体に乗った状態のキャリブレーション前の体重を測定した後、ユーザが測定装置本体に乗っていない状態のキャリブレーション用の基準重量を測定する制御を行う制御部を設けることによって、キャリブレーションを行う前に、ユーザの体重測定を開始することができるので、速やかに測定を開始することができる。また、ユーザが測定装置本体に乗った状態のキャリブレーション前の体重を測定した後、ユーザが測定装置本体に乗った状態のキャリブレーション前の体重とキャリブレーション用の基準重量との差分に基づいてキャリブレーション後のユーザの体重測定結果を取得する制御を行うことによって、測定後に、キャリブレーション前の体重とキャリブレーション用の基準重量との差分に基づくキャリブレーション後のユーザの体重測定結果を取得することができるので、ユーザにキャリブレーションを考慮した正確な測定結果を提供することができる。したがって、この体重測定機能を有する測定装置では、速やかに測定を開始することができ、かつ、ユーザにキャリブレーションを考慮した正確な測定結果を提供することができる。
【０００９】
上記第１の局面による体重測定機能を有する測定装置において、好ましくは、ユーザが測定装置本体に乗ったことを検知する検知部をさらに備え、測定装置側制御部は、ユーザが測定装置本体に乗ったことが検知部により検知されたことに基づいて、測定装置本体の電源をオンにする制御を行うように構成されている。このように構成すれば、ユーザが測定装置本体に乗るタイミングに合わせて電源をオンにすることができるので、ユーザが測定装置本体に乗る前に予め電源をオンにする場合と異なり、無駄な電力の消費を抑制することができる。これにより、バッテリ（電池）駆動する場合のバッテリ残量の減少を抑制することができる。また、ユーザが測定装置本体に乗り降りするだけで、キャリブレーション前の体重を測定した後、ユーザが測定装置本体に乗っていない状態のキャリブレーション用の基準重量を測定して、ユーザが測定装置本体に乗った状態のキャリブレーション前の体重とキャリブレーション用の基準重量との差分に基づいてキャリブレーション後のユーザの体重測定結果を取得することができる。その結果、容易に、速やかに測定を開始することができ、かつ、ユーザにキャリブレーションを考慮した正確な測定結果を提供することができる。
【００１０】
上記第１の局面による体重測定機能を有する測定装置において、好ましくは、外部表示装置と通信可能な測定装置側通信部をさらに備え、測定装置側制御部は、キャリブレーション前の体重測定結果を外部表示装置に送信した後、測定装置側通信部を介してキャリブレーション後の体重測定結果を外部表示装置に送信する制御を行うように構成されている。このように構成すれば、体重測定機能を有する測定装置に体重測定結果を表示する表示部を設ける必要がないので、体重測定機能を有する測定装置の構造を簡素化することができる。また、外部表示装置で体重測定結果を表示することができるので、体重測定結果を視覚的により認識し易い状態でユーザに提供することができる。
【００１１】
上記第１の局面による体重測定機能を有する測定装置において、好ましくは、外部記憶装置と通信可能な測定装置側通信部をさらに備え、測定装置側制御部は、キャリブレーション前の体重測定結果を外部記憶装置に送信した後、測定装置側通信部を介してキャリブレーション後の体重測定結果を外部記憶装置に送信する制御を行うように構成されている。このように構成すれば、体重測定機能を有する測定装置に測定データを記憶するための記憶部を設ける必要がなくなるので、体重測定機能を有する測定装置の構成を簡略化することができる。
【００１２】
この発明の第２の局面による表示装置は、表示部と、ユーザが測定装置本体に乗った状態のキャリブレーション前の体重測定結果を体重測定機能を有する測定装置から受信した後、ユーザが測定装置本体に乗っていない状態のキャリブレーション用の基準重量の測定結果を体重測定機能を有する測定装置から受信する表示装置側受信部と、表示部に表示する表示動作を制御する表示装置側制御部とを備え、表示装置側制御部は、キャリブレーション前の体重測定結果を表示部に表示するとともに、キャリブレーション前の体重測定結果とキャリブレーション用の基準重量との差分に基づいてキャリブレーション後のユーザの体重測定結果を取得して、キャリブレーション後の体重測定結果を表示部に表示する制御を行うように構成されている。
【００１３】
この発明の第２の局面による表示装置では、上記のように、ユーザが測定装置本体に乗った状態のキャリブレーション前の体重測定結果を体重測定機能を有する測定装置から受信した後、ユーザが測定装置本体に乗っていない状態のキャリブレーション用の基準重量の測定結果を体重測定機能を有する測定装置から受信する表示装置側受信部を設けることによって、キャリブレーションを行う前に、ユーザの体重測定を開始することができるので、速やかに測定を開始することができる。また、ユーザが測定装置本体に乗った状態のキャリブレーション前の体重測定結果を体重測定機能を有する測定装置から受信した後、ユーザが測定装置本体に乗った状態のキャリブレーション前の体重とキャリブレーション用の基準重量との差分に基づいてキャリブレーション後のユーザの体重測定結果を取得する制御を行う表示装置側制御部を設けることによって、測定後に、キャリブレーション前の体重とキャリブレーション用の基準重量との差分に基づくキャリブレーション後のユーザの体重測定結果を取得することができるので、ユーザにキャリブレーションを考慮した正確な測定結果を提供することができる。したがって、この表示装置では、速やかに測定を開始することができ、かつ、ユーザにキャリブレーションを考慮した正確な測定結果を提供することができる。また、キャリブレーション前の体重測定結果とキャリブレーション用の基準重量との差分に基づいてキャリブレーション後のユーザの体重を取得する演算が表示装置側制御部で行われるので、体重測定機能を有する測定装置に上記演算を行わせる必要がなく、その分、体重測定機能を有する測定装置の構成を簡素化することができる。また、キャリブレーション前の体重測定結果と、キャリブレーション後の体重測定結果とを表示する表示部を設けることによって、体重測定機能を有する測定装置に体重測定結果を表示する表示部を設ける必要がないので、体重測定機能を有する測定装置の構造が複雑になるのを抑制することができる。また、表示装置で体重測定結果を表示することができるので、体重測定結果を視覚的により認識し易い状態でユーザに提供することができる。
【００１４】
上記第２の局面による表示装置において、好ましくは、表示装置本体を操作するリモコンをさらに備え、表示装置側制御部は、ユーザによるリモコンの操作によりユーザの体重を測定する体重測定モードに移行する制御を行うように構成されている。このように構成すれば、表示装置本体を操作するリモコンにより体重測定モードに移行することができるので、測定装置側に表示装置を体重測定モードに移行させるための操作部を設ける必要がなく、その結果、体重測定機能を有する測定装置の構造が複雑になるのを抑制することができる。
【００１５】
この場合、好ましくは、表示装置側制御部は、体重測定モードにおいて、表示部にユーザに対して着用している衣服についての問い合わせを表示するとともに、問い合わせに対するユーザのリモコンを用いた回答に基づいて、衣服を着用していないとした場合のユーザの体重を推測して、衣服を着用していないとした場合のユーザの体重の測定結果を表示部に表示する制御を行うように構成されている。このように構成すれば、ユーザが衣類を着用している場合でも、衣服の重量を考慮したより正確な測定結果をユーザに提供することができる。
【００１６】
上記、衣服を着用していないとした場合のユーザの体重の測定結果を表示部に表示する表示装置において、好ましくは、表示装置側制御部は、キャリブレーション前の体重測定結果である第１体重測定結果と、キャリブレーション前の体重測定結果よりも以前のキャリブレーション前の体重測定結果である第２体重測定結果との差分を取得し、差分が所定の閾値以下の場合に、問い合わせの表示を行うことなく、第２体重測定結果の取得時の衣服の重さに基づいて、衣服を着用していないとした場合のユーザの体重の測定結果を表示部に表示する制御を行うように構成されている。このように構成すれば、第１体重測定結果が測定された時と、第２体重測定結果が測定された時とにおいて、ユーザが同じ衣服を着用している場合で差分の値が小さい場合、問い合わせの表示を省略できるので、衣服の重量を考慮しつつユーザが問い合わせに応答する手間を省くことができる。これにより、１回の測定における測定時間を短縮することができる。
【００１７】
この場合、好ましくは、表示装置側制御部は、キャリブレーション前の体重測定結果である第１体重測定結果と、キャリブレーション前の体重測定結果よりも以前のキャリブレーション前の体重測定結果である第２体重測定結果との差分を取得し、差分が所定の閾値よりも大きい場合に、問い合わせの表示を行い、問い合わせに対するユーザのリモコンを用いた回答に基づいて、衣服を着用していないとした場合のユーザの体重の測定結果を表示部に表示する制御を行うように構成されている。このように構成すれば、第１体重測定結果が測定された時と、第２体重測定結果が測定された時とにおいて、ユーザが異なる衣服を着用していると考えられる差分の値が大きい場合のみ、問い合わせの表示を行うので、それ以外は問い合わせの表示を省略することができる。その結果、衣服の重量を考慮しつつユーザが問い合わせに応答する手間を省くことができる。これにより、１回の測定における測定時間を短縮することができる。
【００１８】
上記第２の局面による表示装置において、好ましくは、表示装置側制御部は、ユーザによるリモコンの操作により、衣服を着用していない場合のユーザの体重の測定をするか否かの設定と、衣服の重量の設定とを行うための設定変更モードに移行する制御を行うように構成されている。このように構成すれば、衣服を着用していない場合のユーザの体重の測定をするか否かをユーザ自身が決定することができるので、ユーザの要求に応じた測定結果をユーザに提供することができる。また、ユーザが所有している衣服の重量を設定することができるので、衣服の重量を考慮したより正確な測定結果をユーザに提供することができる。
【００１９】
上記第２の局面による表示装置において、好ましくは、ユーザの衣服を撮像する撮像部をさらに備え、表示装置側制御部は、撮像部で予め撮像された複数の衣服の画像を、問い合わせの際に選択可能に表示するとともに、選択された画像に基づいて、選択された画像の衣服を着用していないとした場合のユーザの体重を推測して、画像の衣服を着用していないとした場合のユーザの体重の測定結果を表示部に表示する制御を行うように構成されている。このように構成すれば、衣服の画像を表示して選択することができるので、問い合わせの表示を視覚的により認識し易い状態でユーザに提供することができる。また、夏服や冬服といった大雑把な単位で衣服を着用していない場合の体重を推測する場合と異なり、実際に着用している衣服の画像により衣服の特定を行うことができるので、より正確に衣服を着用していない場合の体重の推測を行うことができる。
【００２０】
上記第２の局面による表示装置において、好ましくは、外部記憶装置と通信可能な表示装置側通信部をさらに備え、表示装置側通信部を介して、キャリブレーション前の体重測定結果と、キャリブレーション用の基準重量の測定結果とを外部記憶装置から受信するように構成されている。このように構成すれば、表示装置は、予め外部記憶装置に記憶された体重測定結果を受信することができるので、表示装置に測定データを記憶する必要がなくなる。これにより、表示装置に測定データを記憶するための記憶部を設ける必要がなくなるので、表示装置の構成を簡略化することができる。また、予め外部記憶装置に記憶された体重測定結果を受信することにより、過去の体重測定結果を保持していない表示装置でも、その体重測定結果を表示することができるので、ユーザにとって利便性の高い表示装置を提供することができる。
【００２１】
この発明の第３の局面による体重測定システムは、測定装置本体と、重量を測定する測定部と、ユーザが測定装置本体に乗った状態のキャリブレーション前の体重を測定した後、キャリブレーション前の体重測定結果を出力するとともに、ユーザが測定装置本体に乗っていない状態のキャリブレーション用の基準重量を測定する制御を行う測定装置側制御部とを含む体重測定機能を有する測定装置と、表示部と、体重測定機能を有する測定装置から測定結果を受信する表示装置側受信部と、表示部に表示する表示動作を制御する表示装置側制御部と含む表示装置とを備え、測定装置側制御部または表示装置側制御部のいずれか一方は、測定部により測定されたユーザが測定装置本体に乗った状態のキャリブレーション前の体重とキャリブレーション用の基準重量との差分に基づいてキャリブレーション後のユーザの体重測定結果を取得する制御を行うように構成され、表示装置側制御部は、キャリブレーション前の体重測定結果を表示部に表示した後、キャリブレーション後の体重測定結果を表示部に表示する制御を行うように構成されている。
【００２２】
この発明の第３の局面による体重測定システムでは、上記のように、ユーザが測定装置本体に乗った状態のキャリブレーション前の体重を測定した後、ユーザが測定装置本体に乗っていない状態のキャリブレーション用の基準重量を測定する制御を行う測定装置側制御部を設けることによって、キャリブレーションを行う前に、ユーザの体重測定を開始することができるので、速やかに測定を開始することができる。また、ユーザが測定装置本体に乗った状態のキャリブレーション前の体重を測定した後、ユーザが測定装置本体に乗った状態のキャリブレーション前の体重とキャリブレーション用の基準重量との差分に基づいてキャリブレーション後のユーザの体重測定結果を取得する制御を行う測定装置側制御部または表示装置側制御部を設けることによって、測定後に、キャリブレーション前の体重とキャリブレーション用の基準重量との差分に基づくキャリブレーション後のユーザの体重測定結果が取得されるので、ユーザにキャリブレーションを考慮した正確な測定結果を提供することができる。したがって、この体重測定システムでは、速やかに測定を開始することができ、かつ、ユーザにキャリブレーションを考慮した正確な測定結果を提供することができる。また、キャリブレーション前の体重測定結果と、キャリブレーション後の体重測定結果と表示する表示部を設けることによって、体重測定機能を有する測定装置に体重測定結果を表示する表示部を設ける必要がないので、構造が複雑になるのを抑制することができる。また、表示装置で体重測定結果を表示することができるので、体重測定結果を視覚的により認識し易い状態でユーザに提供することができる。
【００２３】
上記第３の局面による体重測定システムにおいて、好ましくは、ユーザが測定装置本体に乗ったことを検知する検知部をさらに備え、測定装置側制御部は、ユーザが測定装置本体に乗ったことが検知部により検知されたことに基づいて、測定装置本体の電源をオンにする制御を行うように構成されている。このように構成すれば、ユーザが測定装置本体に乗るタイミングに合わせて電源をオンにすることができるので、ユーザが測定装置本体に乗る前に予め電源をオンにする場合と異なり、無駄な電力の消費を抑制することができる。これにより、バッテリ（電池）により駆動する場合のバッテリ残量の減少を抑制することができる。また、ユーザの測定装置本体への乗り降りだけで、ユーザが測定装置本体に乗った状態のキャリブレーション前の体重を測定した後、ユーザが測定装置本体に乗っていない状態のキャリブレーション用の基準重量を測定することができる。そして、ユーザが測定装置本体に乗った状態のキャリブレーション前の体重とキャリブレーション用の基準重量との差分に基づいてキャリブレーション後のユーザの体重測定結果を取得することができる。その結果、容易に、速やかに測定を開始することができ、かつ、ユーザにキャリブレーションを考慮した正確な測定結果を提供することができる。
【００２４】
上記第３の局面による体重測定システムにおいて、好ましくは、表示装置は、据置型のテレビジョン装置または携帯型端末装置の少なくとも一方を含む。このように構成すれば、専用の外部表示装置を別途設けることなく、据置型のテレビジョン装置または携帯型端末装置を用いて、容易に、体重測定結果を表示することができる。
【００２５】
この場合、好ましくは、表示装置としてのテレビジョン装置を操作するリモコンをさらに備え、表示装置側制御部は、ユーザによるリモコンの操作により、ユーザの体重を測定する体重測定モードに移行する制御を行うように構成されている。このように構成すれば、表示装置本体を操作するリモコンにより体重測定モードに移行することができるので測定装置側に表示装置を体重測定モードに移行させるための操作部を設ける必要がなく、その結果、体重測定機能を有する測定装置の構造が複雑になるのを抑制することができる。
【００２６】
この場合、好ましくは、表示装置側制御部は、体重測定モードにおいて、表示部にユーザに対して着用している衣服についての問い合わせを表示するとともに、問い合わせに対するユーザのリモコンを用いた回答に基づいて、衣服を着用していない場合のユーザの体重を推測して、ユーザの体重の測定結果を表示部に表示する制御を行うように構成されている。このように構成すれば、ユーザが衣類を着用している場合でも、衣服の重量を考慮したより正確な測定結果をユーザに提供することができる。
【００２７】
この場合、好ましくは、表示装置側制御部は、キャリブレーション前の体重測定結果である第１体重測定結果と、キャリブレーション前の体重測定結果よりも以前のキャリブレーション前の体重測定結果である第２体重測定結果との差分を取得し、差分が所定の閾値以下の場合に、問い合わせの表示を行うことなく、第２体重測定結果の取得時の衣服の重さに基づいて衣服を着用していないとした場合のユーザの体重の測定結果を表示部に表示する制御を行うように構成されている。このように構成すれば、第１体重測定結果が測定された時と、第２体重測定結果が測定された時とにおいて、ユーザが同じ衣服を着用している場合で差分の値が小さい場合、問い合わせの表示を省略できるので、衣服の重量を考慮しつつユーザが問い合わせに応答する手間を省くことができる。これにより、１回の測定における測定時間を短縮することができる。
【００２８】
上記据置型のテレビジョン装置または携帯型端末装置の少なくとも一方を含む構成において、好ましくは、測定装置側制御部は、少なくともユーザが測定装置本体に乗った状態のキャリブレーション前の体重測定結果を据置型のテレビジョン装置に送信する際に、据置型のテレビジョン装置が認識されない場合には、携帯型端末装置に少なくともユーザが測定装置本体に乗った状態のキャリブレーション前の体重測定結果を送信する制御を行うように構成されている。このように構成すれば、据置型のテレビジョン装置が認識されない場合でも、携帯型端末装置を用いてキャリブレーション前の体重測定結果や体重測定機能を有する測定装置または携帯型端末装置で取得されたキャリブレーション後の体重測定結果を表示させることができる。
【００２９】
上記第３の局面による体重測定システムにおいて、好ましくは、体重測定機能を有する測定装置から測定結果を受信する外部記憶装置側受信部と、外部記憶装置側受信部により受信した測定結果を記憶する記憶部と、記憶部に記憶された測定結果を表示装置へ送信する外部記憶装置側送信部と、測定装置および表示装置とは別個に設けられた外部記憶装置をさらに備える。このように構成すれば、測定装置および表示装置にそれぞれ記憶部を設ける必要はないので、測定装置および表示装置の構成を簡略化することができる。また、過去に体重測定結果を表示した表示装置とは異なる表示装置でも、その体重測定結果を表示することができるので、ユーザにとって利便性の高い表示装置を提供することができる。
【発明の効果】
【００３０】
本発明によれば、上記のように、速やかに測定を開始することができ、かつ、ユーザにキャリブレーションを考慮した正確な測定結果を提供することができる。
【図面の簡単な説明】
【００３１】
【図１】本発明の第１実施形態による体重測定システムの全体構成を示した概念図である。
【図２】本発明の第１実施形態による体重測定システムの構成を示したブロック図である。
【図３】本発明の第１実施形態による体重測定システムの体重測定開始画面を示した図である。
【図４】本発明の第１実施形態による体重測定システムの服装確認画面を示した図である。
【図５】本発明の第１実施形態による体重測定システムのキャリブレーション前の体重表示画面を示した図である。
【図６】本発明の第１実施形態による体重測定システムのキャリブレーション後の体重表示画面を示した図である。
【図７】本発明の第１実施形態による体重測定システムの体重の変化履歴画面を示した図である。
【図８】本発明の第１実施形態による体重測定システムの番組案内画面を示した図である。
【図９】本発明の第１実施形態による体重測定システムの体重測定処理を説明するためのフローチャートである。
【図１０】本発明の第１実施形態による体重測定システムの体重測定処理を説明するためのフローチャートである。
【図１１】本発明の第１実施形態の変形例による体重測定システムの全体構成を示した概念図である。
【図１２】本発明の第１実施形態の変形例による体重測定システムの表示部にキャリブレーション前後の体重測定結果を表示した状態を示した図である。
【図１３】本発明の第２実施形態による体重測定システムの構成を示したブロック図である。
【図１４】本発明の第２実施形態による体重測定システムの設定変更メニュー画面を示した図である。
【図１５】本発明の第２実施形態による体重測定システムの服重量変更画面を示した図である。
【図１６】本発明の第２実施形態による体重測定システムの数値設定画面を示した図である。
【図１７】本発明の第２実施形態による体重測定システムのキャリブレーション前の体重表示画面を示した図である。
【図１８】本発明の第２実施形態による体重測定システムの服選択画面を示した図である。
【図１９】本発明の第２実施形態による体重測定システムの体重測定処理を説明するためのフローチャートである。
【図２０】本発明の第２実施形態による体重測定システムの体重測定処理を説明するためのフローチャートである。
【図２１】本発明の第２実施形態による体重測定システムの設定変更処理を説明するためのフローチャートである。
【図２２】本発明の第３実施形態による体重測定システムの全体構成を示した概念図である。
【図２３】本発明の第３実施形態による体重測定システムの構成を示したブロック図である。
【図２４】本発明の第３実施形態による体重測定システムの体重測定処理を説明するためのフローチャートである。
【図２５】本発明の第３実施形態による体重測定システムの体重測定処理を説明するためのフローチャートである。
【図２６】本発明の第３実施形態による体重測定システムの体重測定処理を説明するためのフローチャートである。
【発明を実施するための形態】
【００３２】
以下、本発明の実施形態を図面に基づいて説明する。
【００３３】
（第１実施形態）
まず、図１〜図８を参照して、本発明の第１実施形態による体重測定システム１００の構成について説明する。
【００３４】
本発明の第１実施形態による体重測定システム１００は、図１および図２に示すように、体重計１と、据置型のＴＶ（テレビジョン装置）２と、リモコン３とを備える。また、体重計１は、持ち運びが可能なように構成されている。また、ＴＶ２は、リモコン３により遠隔操作可能に構成されている。また、図１に示すように、体重測定システム１００は、たとえば、リビングに配置された状態で使用される。また、この体重測定システム１００では、体重計１で取得された測定結果をＴＶ２に表示させることが可能なように構成されている。なお、体重計１は、本発明の「体重測定機能を有する測定装置」の一例である。また、ＴＶ２は、本発明の「表示装置」および「外部表示装置」の一例である。
【００３５】
ここで、第１実施形態では、体重計１は、図示しないバッテリ（電池）により駆動され、図２に示すように、体重計本体１１と、重量を測定する荷重センサ１２と、メカスイッチ１３と、ＡＤ（ａｎａｌｏｇ  ｔｏ  ｄｉｇｉｔａｌ）変換部１４と、ＴＶ２と通信可能なＢｌｕｅｔｏｏｔｈ（登録商標）通信部１５と、ＭＰＵ（Ｍｉｃｒｏ−Ｐｒｏｃｅｓｓｉｎｇ  Ｕｎｉｔ）１６とを含む。なお、体重計本体１１は、本発明の「測定装置本体」の一例である。また、荷重センサ１２は、本発明の「測定部」の一例である。また、メカスイッチ１３は、本発明の「検知部」の一例である。また、Ｂｌｕｅｔｏｏｔｈ（登録商標）通信部１５は、本発明の「測定装置側通信部」の一例である。また、ＭＰＵ１６は、本発明の「測定装置側制御部」の一例である。
【００３６】
荷重センサ１２は、体重計本体１１に乗ったユーザの体重を測るように構成されている。また、メカスイッチ１３は、ユーザが体重計本体１１に乗ったことを検知してスイッチがオンになるように構成されている。また、ＡＤ変換部１４は、荷重センサ１２により検出されたユーザの体重およびメカスイッチ１３がオンになったことをデジタル信号に変換して、ＭＰＵ１６に伝送するように構成されている。
【００３７】
また、第１実施形態では、ＭＰＵ１６は、荷重センサ１２による重量測定動作を制御するように構成されている。また、ＭＰＵ１６は、ユーザが体重計本体１１に乗った状態のキャリブレーション前の体重を測定した後、キャリブレーション前の体重測定結果を出力するとともに、ユーザが体重計本体１１に乗っていない状態のキャリブレーション用の基準重量を測定する制御を行うように構成されている。
【００３８】
具体的には、ＭＰＵ１６は、ユーザが体重計本体１１に乗ったことがメカスイッチ１３により検知されたことに基づいて、体重計本体１１の電源をオンにする制御を行うように構成されている。また、ＭＰＵ１６は、キャリブレーション前のユーザの体重を測定するように荷重センサ１２を制御するように構成されている。また、ＭＰＵ１６は、Ｂｌｕｅｔｏｏｔｈ（登録商標）通信部１５を介して、キャリブレーション前のユーザの体重をＴＶ２に出力する制御を行うように構成されている。また、ＭＰＵ１６は、ユーザが体重計本体１１から降りた後、ユーザが体重計本体１１に乗っていない状態のキャリブレーション用の基準重量を測定するように荷重センサ１２を制御するように構成されている。また、ＭＰＵ１６は、Ｂｌｕｅｔｏｏｔｈ（登録商標）通信部１５を介して、キャリブレーション用の基準重量をＴＶ２に出力する制御を行うように構成されている。
【００３９】
また、第１実施形態では、図２に示すように、ＴＶ２は、チューナ２１と、Ｂｌｕｅｔｏｏｔｈ（登録商標）通信部２２と、リモコンセンサ２３と、メモリ２４と、表示部２５と、ＭＰＵ２６とを含む。なお、Ｂｌｕｅｔｏｏｔｈ（登録商標）通信部２２は、本発明の「表示装置側受信部」の一例である。また、ＭＰＵ２６は、本発明の「表示装置側制御部」の一例である。
【００４０】
チューナ２１は、放送信号を受信可能なように構成されている。また、Ｂｌｕｅｔｏｏｔｈ（登録商標）通信部２２は、体重計１のＢｌｕｅｔｏｏｔｈ（登録商標）通信部１５から測定結果を受信するように構成されている。また、チューナ２１は、ユーザが体重計本体１１に乗った状態のキャリブレーション前の体重測定結果を体重計１から受信した後、ユーザが体重計本体１１に乗っていない状態のキャリブレーション用の基準重量の測定結果を体重計１から受信するように構成されている。
【００４１】
また、第１実施形態では、リモコンセンサ２３は、リモコン３からの赤外線信号を受信可能なように構成されている。また、メモリ２４には、ユーザの体重の測定結果に関するデータが記憶されるように構成されている。また、表示部２５には、ユーザの体重の測定結果に関するデータやテレビ番組などが表示されるように構成されている。また、表示部２５に表示する表示動作は、ＭＰＵ２６により制御されるように構成されている。
【００４２】
また、第１実施形態では、ＭＰＵ２６（図２参照）は、ユーザによるリモコン３の操作に基づいてユーザの体重を測定する体重測定モード（図３参照）に移行する制御を行うように構成されている。具体的には、ＭＰＵ２６は、体重測定開始画面を表示し、ユーザが体重計本体１１に乗るとユーザの体重測定を開始する制御するように構成されている。
【００４３】
また、第１実施形態では、ＭＰＵ２６は、体重測定モードにおいて、表示部２５にユーザに対して着用している衣服についての問い合わせを行う服装確認画面を表示するとともに、問い合わせに対するユーザのリモコン３を用いた回答に基づいて、衣服を着用していないとした場合のユーザの体重を推測して、衣服を着用していないとした場合のユーザの体重の測定結果を表示部２５に表示する制御を行うように構成されている。具体的には、ＭＰＵ２６は、図４に示すように、服装確認画面により、着用している衣服が「夏服」または「冬服」であるか、あるいは、「着用していない」のいずれかをユーザに選択させる問い合わせを行うように構成されている。たとえば、ＭＰＵ２６は、「夏服」が選択された場合には、キャリブレーション前のユーザの体重から一般的な夏服の重量（たとえば、１．０ｋｇ）を差分し、「冬服」が選択された場合には、キャリブレーション前のユーザの体重から一般的な冬服の重量（たとえば、２．０ｋｇ）を差分する制御を行うように構成されている。
【００４４】
具体的には、図５に示すように、ＭＰＵ２６は、体重計１からキャリブレーション前の体重測定結果を受信すると、着用している衣服の重量を差分した状態でキャリブレーション前の体重測定結果をキャリブレーション前の体重表示画面に表示する制御を行うように構成されている。たとえば、体重計１で計測されたユーザの体重が６１．２ｋｇであるとともに着用している衣服として「夏服」が選択された場合には、計測されたユーザの体重である６１．２ｋｇから夏服の重量として設定されている１．０ｋｇを差分して、キャリブレーション前の体重測定結果としての６０．２ｋｇがキャリブレーション前の体重表示画面に表示される。
【００４５】
また、第１実施形態では、ＭＰＵ２６は、図６に示すように、荷重センサ１２により測定されたユーザが体重計本体１１に乗った状態のキャリブレーション前の体重とキャリブレーション用の基準重量との差分に基づいてキャリブレーション後のユーザの体重測定結果を取得する制御を行うように構成されている。また、ＭＰＵ２６は、図５および図６に示すように、キャリブレーション前の体重表示画面およびキャリブレーション後の体重表示画面により、キャリブレーション前の体重測定結果を表示した後、キャリブレーション後の体重測定結果を表示する制御を行うように構成されている。また、ＭＰＵ２６は、図６に示すように、キャリブレーション後の体重表示画面により、キャリブレーション前の体重測定結果と、キャリブレーション後の体重測定結果とを並べた（比較可能な）状態で同一の画面に表示する制御を行うように構成されている。
【００４６】
また、第１実施形態では、ＭＰＵ２６は、キャリブレーション後のユーザの体重測定結果をメモリ２４（図２参照）に記憶する制御を行うように構成されている。また、ＭＰＵ２６は、図７に示すように、メモリ２４に記憶（蓄積）されたキャリブレーション後のユーザの体重測定結果に基づいて、キャリブレーション後のユーザの体重の時間経過に伴う変化が表示された体重の変化履歴画面をＧＵＩ（Ｇｒａｐｈｉｃａｌ  Ｕｓｅｒ  Ｉｎｔｅｒｆａｃｅ）により表示部２５に表示するように構成されている。また、ＭＰＵ２６は、体重の変化履歴画面において、ユーザの体重測定結果に関するコメントやインタラクティブアシスタント（目標範囲と測定結果の推移とから適切なアドバイスを表示する）などの表示２５１を表示するように構成されている。また、表示部２５には、体重測定の際に同時に測定可能なＢＭＩ（Ｂｏｄｙ  Ｍａｓｓ  Ｉｎｄｅｘ）（肥満度）やＦＡＴ（体脂肪）などに関する測定結果を体重測定結果と一括して表示してもよい。
【００４７】
また、ＭＰＵ２６は、図８に示すように、ユーザの体重測定結果に基づいて、健康に関連する番組を検索して表示部２５に番組案内画面を表示するように構成されている。たとえば、ユーザの体重が太り気味の範囲に含まれる場合には、ＭＰＵ２６はダイエットに関する番組を検索して、その一覧を表示する制御を行うように構成されている。
【００４８】
次に、図２および図９を参照して、第１実施形態による体重測定システム１００の体重測定処理フローについて説明する。体重計１における処理は、ＭＰＵ１６により行われ、ＴＶ２における処理は、ＭＰＵ２６により行われる。
【００４９】
まず、ＴＶ２では、ステップＳ２１において、体重測定モードに移行されたか否かが判断される。具体的には、図３に示すように、ユーザがリモコン３を操作することにより体重測定モードに移行されたか否かが判断される。体重測定モードに移行されるまでこの判断が繰り返され、体重測定モードに移行されると、ステップＳ２２に進む。
【００５０】
次に、ステップＳ２２において、ユーザに体重計本体１１に乗るように指示する体重測定開始画面が表示部２５に表示される。次に、ステップＳ２３において、体重計１が検索される。
【００５１】
ステップＳ２４において、体重計本体１１（図２参照）が認識されたか否かが判断される。ステップＳ２４において、体重計本体１１が認識されなかった場合には、ステップＳ２３に戻る。ステップＳ２４において、体重計本体１１が認識された場合には、ステップＳ２５に進む。
【００５２】
ステップＳ２５において、ユーザに対して着用している衣服についての問い合わせが行われる。具体的には、図４に示すように、服装確認画面により、着用している衣服が「夏服」または「冬服」であるか、あるいは、「着用していない」のいずれかをユーザに選択させる問い合わせが表示部２５に表示される。
【００５３】
次に、ステップＳ２６において、着用している衣服についてユーザの回答を受信したか否かが判断される。着用している衣服についてユーザの回答を受信するまでこの判断が繰り返され、着用している衣服についてユーザの回答を受信すると、ステップＳ２７に進む。
【００５４】
一方、体重計１では、ステップＳ１において、ユーザが体重計本体１１（図２参照）に乗ったか否かが判断される。ユーザが体重計本体１１に乗るまでこの判断が繰り返され、ユーザが体重計本体１１に乗ると、ステップＳ２に進む。ユーザが体重計本体１１に乗ったことがメカスイッチ１３により検出されると、ＭＰＵ１６により体重計１の電源がオン状態にされ、キャリブレーション前のユーザの体重が測定される。
【００５５】
ステップＳ２において、体重計本体１１の電源がオンにされる。次に、ステップＳ３において、ＴＶ２が検索される。
【００５６】
ステップＳ４において、ＴＶ２（図２参照）が認識されたか否かが判断される。ステップＳ４において、ＴＶ２が認識されなかった場合には、ステップＳ３に戻る。ステップＳ４において、ＴＶ２が認識された場合には、ステップＳ５に進む。ステップＳ５において、キャリブレーション前の体重が測定される。
【００５７】
ステップＳ６において、キャリブレーション前のユーザの体重測定結果がＴＶ２に送信される。具体的には、キャリブレーション前のユーザの体重測定結果が、Ｂｌｕｅｔｏｏｔｈ（登録商標）通信部１５（図２参照）を介して、体重計１からＴＶ２に送信される。
【００５８】
ＴＶ２では、ステップＳ２７において、キャリブレーション前の体重測定結果を体重計１から受信したか否かが判断される。キャリブレーション前の体重測定結果を体重計１から受信するまでこの判断が繰り返され、キャリブレーション前の体重測定結果を体重計１から受信すると、ステップＳ２８に進む。
【００５９】
ステップＳ２８において、キャリブレーション前のユーザの体重測定結果が受信された旨の受信応答がＴＶ２に送信される。次に、ステップＳ２９において、図５に示すように、キャリブレーション前の体重表示画面により、体重計本体１１から降りる旨の指示および衣類の重量を差分したキャリブレーション前の体重測定結果が表示部２５に表示される。
【００６０】
体重計１では、ステップＳ７において、ＴＶ２から送信されたキャリブレーション前のユーザの体重測定結果の受信応答が受信されたか否かが判断される。ステップＳ７において、ＴＶ２から送信されたキャリブレーション前のユーザの体重測定結果の受信応答が受信されなかった場合には、ステップＳ６に戻る。ステップＳ７において、ＴＶ２から送信されたキャリブレーション前のユーザの体重測定結果の受信応答が受信された場合には、ステップＳ８に進む。
【００６１】
ステップＳ８において、メカスイッチ１３に基づいて、ユーザが体重計本体１１から降りたか否かが判断される。ユーザが体重計本体１１から降りるまでこの判断が繰り返され、ユーザが体重計本体１１から降りると、ステップＳ９に進む。
【００６２】
ステップＳ９において、ユーザが体重計本体１１に乗っていない状態のキャリブレーション用の基準重量が測定される。次に、ステップＳ１０において、キャリブレーション用の基準重量の測定結果がＴＶ２に送信される。具体的には、キャリブレーション用の基準重量の測定結果が、Ｂｌｕｅｔｏｏｔｈ（登録商標）通信部１５を介して、体重計１からＴＶ２に送信される。
【００６３】
そして、ＴＶ２では、ステップＳ３０において、体重計１から送信されたキャリブレーション用の基準重量の測定結果が受信されたか否かが判断される。キャリブレーション用の基準重量の測定結果が受信されるまでこの判断が繰り返され、キャリブレーション用の基準重量の測定結果が受信されると、ステップＳ３１に進む。
【００６４】
ステップＳ３１において、キャリブレーション用の基準重量の測定結果が受信された旨の受信応答がＴＶ２に送信される。次に、ステップＳ３２において、キャリブレーション用の基準重量に基づいて、キャリブレーション後の体重が取得され、表示される。具体的には、キャリブレーション前の体重からキャリブレーション用の基準重量を差分して、キャリブレーション後の体重測定結果が取得される。そして、図６に示すように、キャリブレーション後の体重表示画面により、キャリブレーション後の体重が表示部２５に表示される。その後、測定結果取得処理フローが終了される。
【００６５】
体重計１では、ステップＳ１１において、ＴＶ２からキャリブレーション用の基準重量の測定結果の受信応答が受信されたか否かが判断される。ステップＳ１１において、ＴＶ２からキャリブレーション用の基準重量の測定結果の受信応答が受信されなかった場合には、ステップＳ１０に戻る。ステップＳ１１において、ＴＶ２からキャリブレーション用の基準重量の測定結果の受信応答が受信された場合には、ステップＳ１２に進む。そして、ステップＳ１２において、体重計１の電源がオフにされ、その後、体重測定処理フローが終了される。
【００６６】
第１実施形態では、以下のような効果を得ることができる。
【００６７】
第１実施形態では、上記のように、ユーザが体重計本体１１に乗った状態のキャリブレーション前の体重を測定した後、ユーザが体重計本体１１に乗っていない状態のキャリブレーション用の基準重量を測定する制御を行うＭＰＵ１６を設ける。これにより、キャリブレーションを行う前に、ユーザの体重測定を開始することができるので、速やかに測定を開始することができる。また、ユーザが体重計本体１１に乗った状態のキャリブレーション前の体重を測定した後、ユーザが体重計本体１１に乗った状態のキャリブレーション前の体重とキャリブレーション用の基準重量との差分に基づいてキャリブレーション後のユーザの体重測定結果を取得する制御を行うＭＰＵ１６を設けることによって、測定後に、キャリブレーション後のユーザの体重測定結果が取得されるので、ユーザにキャリブレーションを考慮した正確な測定結果を提供することができる。したがって、この体重測定システムでは、速やかに測定を開始することができ、かつ、ユーザにキャリブレーションを考慮した正確な測定結果を提供することができる。また、キャリブレーション前の体重測定結果と、キャリブレーション後の体重測定結果とを表示する表示部２５を設けることによって、体重計１に体重測定結果を表示する表示部を設ける必要がないので、構造が複雑になるのを抑制することができる。また、ＴＶ２で体重測定結果を表示することができるので、体重測定結果を視覚的により認識し易い状態でユーザに提供することができる。
【００６８】
第１実施形態では、上記のように、ユーザが体重計本体１１に乗ったことを検知するメカスイッチ１３をさらに設けるとともに、ユーザが体重計本体１１に乗ったことがメカスイッチ１３により検知されたことに基づいて、体重計本体１１の電源をオンにする制御を行うようにＭＰＵ１６を構成する。これにより、ユーザが体重計本体１１に乗るタイミングに合わせて電源をオンにすることができるので、ユーザが体重計本体１１に乗る前に予め電源をオンにする場合と異なり、無駄な電力の消費を抑制することができるので、バッテリ（電池）により駆動する場合のバッテリ残量の減少を抑制することができる。また、ユーザが体重計本体１１に乗り降りするだけで、ユーザが体重計本体１１に乗った状態のキャリブレーション前の体重を測定した後、ユーザが体重計本体１１に乗っていない状態のキャリブレーション用の基準重量を測定して、ユーザが体重計本体１１に乗った状態のキャリブレーション前の体重とキャリブレーション用の基準重量との差分に基づいてキャリブレーション後のユーザの体重測定結果を取得することができるので、容易に、速やかに測定を開始することができ、かつ、ユーザにキャリブレーションを考慮した正確な測定結果を提供することができる。
【００６９】
第１実施形態では、上記のように、ＴＶ２を操作するリモコン３をさらに設けるととともに、リモコン３の操作により体重を測定する体重測定モードに移行する制御を行うようにＭＰＵ２６を構成する。これにより、ＴＶ２を操作するリモコン３により体重測定モードに移行することができるので体重計１側にＴＶ２を体重測定モードに移行させるための操作部を設ける必要がなく、その結果、体重計１の構造が複雑になるのを抑制することができる。
【００７０】
第１実施形態では、上記のように、ＴＶ２と通信可能なＢｌｕｅｔｏｏｔｈ（登録商標）通信部１５をさらに設けるとともに、キャリブレーション前の体重測定結果をＴＶ２に送信した後、Ｂｌｕｅｔｏｏｔｈ（登録商標）通信部１５を介してキャリブレーション後の体重測定結果をＴＶ２に送信する制御を行うようにＭＰＵ１６を構成する。これにより、体重計１に体重測定結果を表示する表示部２５を設ける必要がないので、体重計１の構造を簡素化することができる。また、ＴＶ２で体重測定結果を表示することができるので、体重測定結果を視覚的により認識し易い状態でユーザに提供することができる。
【００７１】
第１実施形態では、上記のように、表示部２５にユーザに対して着用している衣服についての問い合わせを表示するとともに、問い合わせに対するユーザのリモコン３を用いた回答に基づいて、衣服を着用していないとした場合のユーザの体重を推測して、ユーザの体重の測定結果を表示部２５に表示する制御を行うようにＭＰＵ２６を構成する。これにより、ユーザが衣類を着用している場合でも、衣服の重量を考慮した正確な測定結果を提供することができる。
【００７２】
（第２実施形態）
次に、図１３〜図１８を参照して、第２実施形態による体重測定システム１０１の構成ついて説明する。第２実施形態では、ＴＶ２のＭＰＵ２６は、服装確認画面により、着用している衣服が「夏服」または「冬服」であるか、あるいは、「着用していない」のいずれかをユーザに選択させる問い合わせを表示する制御を行うように構成されていた、第１実施形態の体重測定システム１００と異なり、ＴＶ４のＭＰＵ４６は、服装選択画面により、ＴＶ４に設けられた撮像部４７で予め撮像された複数の衣服の画像をユーザに選択させる問い合わせを表示する制御を行うように構成されている。
【００７３】
また、第２実施形態では、図１３に示すように、ＴＶ４は、メモリ４４と、ＭＰＵ４６と、撮像部４７とを含む。また、第２実施形態によるＴＶ４のその他の構成は、第１実施形態におけるＴＶ２と同様である。
【００７４】
ここで、第２実施形態では、メモリ４４には、ユーザの体重の測定結果に関するデータおよび撮像部４７で撮像された複数の画像が記憶されるように構成されている。また、ＭＰＵ４６は、ユーザによるリモコン３の操作により、衣服を着用していない場合のユーザの体重の測定をするか否かの設定と、衣服の重量の設定とを行うための設定変更モードに移行する制御を行うように構成されている。
【００７５】
具体的には、図１４に示すように、ＭＰＵ４６は、ユーザによるリモコン３の操作により、設定変更モードに移行して、設定変更メニュー画面を表示部２５に表示する制御を行うように構成されている。そして、衣服を着用していない場合のユーザの体重の測定（服補正）をユーザが必要と判断した場合、ユーザによるリモコン３の操作により、「服補正」という項目中の「ＯＮ」が選択される。そして、ＭＰＵ４６は、選択されている項目をユーザが視覚的に判断できるように表示部２５に表示する制御を行う。たとえば、図１４では、「ＯＮ」を選択している状態を表している。この場合、ＭＰＵ４６は、体重測定モードにおいて、衣服の重量を含まないキャリブレーション前の体重測定結果（衣服を着用していない場合のユーザの体重測定結果）およびキャリブレーション後の体重測定結果を表示部２５に表示する制御を行うように構成されている。また、衣服を着用していない場合のユーザの体重の測定（服補正）をユーザが不要と判断した場合、ユーザによるリモコン３の操作により、「服補正」という項目中の「ＯＦＦ」が選択される。この場合、ＭＰＵ４６は、体重測定モードにおいて、衣服の重量を含むキャリブレーション前の体重測定結果の表示と、衣服の重量を含むキャリブレーション後の体重測定結果とを表示部２５に表示する制御を行うように構成されている。
【００７６】
また、第２実施形態では、図１４および図１５に示すように、ユーザによるリモコン３の操作により、「服重量変更」が選択されると、ＭＰＵ４６は、表示部２５に服重量変更画面（図１５参照）を表示する制御を行うように構成されている。そして、ＭＰＵ４６は、服重量変更画面において、撮像部４７で予め撮像された複数の画像２５２が横１列に３枚並ぶように表示されるとともに、表示されている予め撮像された複数の画像２５２のうち、中央に表示された予め撮像された画像２５２の下側に、衣服の重量を設定するための服重量変更設定値が表示されるように制御する。そして、３枚の予め撮像された画像２５２の両端に２つの三角形状の選択用ボタン２５３が表示されるように制御する。また、この服重量変更設定値は、中央に表示された予め撮像された画像２５２の衣服の重量と対応している。すなわち、衣服を着用していない場合のユーザの体重の測定の際、ＭＰＵ４６は、キャリブレーション前の体重測定結果よりこの服重量変更設定値を差分して、衣服を着用していない場合のユーザの体重測定結果として表示する制御を行うように構成されている。
【００７７】
なお、ＭＰＵ４６は、２つの三角形状の選択用ボタン２５３のいずれか一方が、ユーザによるリモコン３の操作により、選択された場合には、最初に表示された３枚の予め撮像された画像２５２とは異なる、予め撮像された画像２５２が表示されるように制御する。たとえば、右端に表示された三角形状の選択用ボタン２５３を選択した場合、右側の位置に表示されていた予め撮像された画像２５２は表示されなくなる。また、中央に表示されていた予め撮像された画像２５２が右側の画像の位置に表示される。また、左側に表示されていた予め撮像された画像２５２が中央の画像の位置に表示される。そして、左側の画像の位置に最初に表示されていた３枚の予め撮像された画像と異なる画像が表示される。
【００７８】
また、図１６に示すように、ＭＰＵ４６は、ユーザによるリモコン３の操作により、服重量変更画面の画像（図１５参照）が選択された場合、数値設定画面を表示する制御を行うように構成されている。そして、ＭＰＵ４６は、ユーザによるリモコン３の操作により、表示部２５に表示されている数字が選択されることによって、任意の衣服の重量を設定する制御を行うように構成されている。なお、図１６中には、衣服の重量を７００ｇとして設定した場合を例として表している。
【００７９】
また、図１４に示すように、設定変更メニュー画面において、ユーザによるリモコン３の操作により、「服補正スキップ重量」を選択されると、ＭＰＵ４６は、表示部２５に数値設定画面（図１６参照）を表示する制御を行うように構成されている。そして、ＭＰＵ４６は、先述した「服重量変更」の場合と同様に、ユーザによるリモコン３の操作により、表示部２５に表示されている、「服補正スキップ重量」の値を設定する制御を行うように構成されている。なお、図１４中には、服補正スキップ重量を３００ｇとして設定した場合を例として表している。また、服補正スキップ重量は、本発明の「所定の閾値」の一例である。
【００８０】
ここで、第２実施形態では、ＭＰＵ４６は、キャリブレーション前の体重測定結果である第１体重測定結果と、キャリブレーション前の体重測定結果よりも以前のキャリブレーション前の体重測定結果である第２体重測定結果との差分を取得し、差分が服補正スキップ重量以下の場合に、衣服についての問い合わせの表示を行うことなく、第２体重測定結果の取得時の衣服の重さに基づいて、衣服を着用していないとした場合のユーザの体重の測定結果を表示部２５に表示する制御を行うように構成されている。また、ＭＰＵ４６は、キャリブレーション前の体重測定結果である第１体重測定結果と、キャリブレーション前の体重測定結果よりも以前のキャリブレーション前の体重測定結果である第２体重測定結果との差分を取得し、差分が服補正スキップ重量よりも大きい場合に、問い合わせの表示を行い、問い合わせに対するユーザのリモコン３を用いた回答に基づいて、衣服を着用していないとした場合のユーザの体重の測定結果を表示部２５に表示する制御を行うように構成されている。
【００８１】
具体的には、ＭＰＵ４６は、ＴＶ４がＢｌｕｅｔｏｏｔｈ（登録商標）通信部２２を介して、体重計１から第１体重測定結果を受信した後、前回体重測定したキャリブレーション前の体重測定結果である第２体重測定結果との差分を算出する。そして、ＭＰＵ４６は、その差分と服補正スキップ重量と比較を行う。そして、差分が服補正スキップ重量以下の場合は、後述する衣服についての問い合わせをせずに、前回体重測定した際に使用した衣服の重量と同じ値を用いて、衣服を着用していないとした場合のユーザの体重の測定結果を表示部２５に表示する制御を行うように構成されている。
【００８２】
たとえば、第１体重測定結果が６０．０ｋｇ、第２体重測定結果が６０．１ｋｇ、服補正スキップ重量が０．３ｋｇ（３００ｇ）の場合、差分は０．１ｋｇであり服補正スキップ重量の０．３ｋｇ以下のため、衣服についての問い合わせは表示されない。そして、ＭＰＵ４６は、前回体重測定した際に使用した衣服の重量と同じ値を用いて、衣服を着用していないとした場合のユーザの体重の測定結果を表示部２５に表示するとともに、「前回と同じ衣服を着用していると判断しました」という旨の表示（図１７参照）をする制御を行うように構成されている。
【００８３】
一方、差分が服補正スキップ重量よりも大きいの場合は、前回と異なる衣服を着用していると考えられるので、衣服についての問い合わせを行う。たとえば、第１体重測定結果が６０．０ｋｇ、第２体重測定結果が６１．０ｋｇ、服補正スキップ重量が０．３ｋｇ（３００ｇ）の場合、差分は１．０ｋｇであり服補正スキップ重量の０．３ｋｇよりも大きいため、衣服についての問い合わせを行う。そして、衣服についての問い合わせにおいて選択された画像に対応する衣服の重量を用いて、衣服を着用していないとした場合のユーザの体重の測定結果を表示部２５に表示する制御を行うように構成されている。
【００８４】
また、第２実施形態では、ＴＶ４は、ユーザの衣服を撮像する撮像部４７（図１３参照）を備え、ＭＰＵ４６は、撮像部４７で予め撮像された複数の衣服の画像を、衣服についての問い合わせの際に選択可能に表示するとともに、選択された画像に基づいて、選択された画像の衣服を着用していないとした場合のユーザの体重を推測して、画像の衣服を着用していないとした場合のユーザの体重の測定結果を表示部２５に表示する制御を行うように構成されている。
【００８５】
具体的には、体重測定前に、ＭＰＵ４６（図１３参照）は、ユーザのリモコン３の操作に基づいて、ＴＶ４に設けられている撮像部４７を動作させ、ユーザの容姿または衣服の画像を撮像する制御を行う。そして、撮像部４７によって撮像された画像は、メモリ４４に記憶されるように構成されている。ここで、先述した設定変更メニュー画面において、ユーザのリモコン３の操作に基づいて、撮像された画像に対応する衣服の重量を設定する。そして、ユーザのリモコン３の操作に基づいて、体重測定モードに移行し、体重計１に乗ることによって、キャリブレーション前の体重測定を開始する。
【００８６】
そして、図１８に示すように、ＭＰＵ４６は、衣服についての問い合わせを行う画面（以下、服装選択画面）において、撮像部４７で予め撮像された画像２５４が横１列に３枚並ぶように表示するとともに、３枚の予め撮像された画像２５４のうち、中央に表示された予め撮像された画像２５４の下側に、衣服の重量を表示されるように制御するように構成されている。そして、３枚の予め撮像された画像２５４の両端に２つの三角形状の選択用ボタン２５５が表示されるように制御されている。次に、ユーザのリモコン３の操作に基づいて、予め撮像された画像２５４または三角形状の選択用ボタン２５５のいずれかが選択される。ユーザのリモコン３の操作に基づいて、三角形状の選択用ボタン２５５が選択された場合は、最初に表示された予め撮像された画像２５４とは異なる衣服の画像（図示せず）が表示される。また、図１８に示すように、衣服の重量は、中央に表示された予め撮像された画像の衣服の重量と対応している。そして、ＭＰＵ４６は、ユーザのリモコン３操作に基づいて、３枚の予め撮像された画像２５４の１枚が選択された場合、選択された予め撮像された画像２５４に対応する衣服の重量と、キャリブレーション前の体重測定結果との差分を求める。次に、図６のように、ＭＰＵ４６は、その差分の値を、選択された画像の衣服を着用していないとした場合のユーザの体重として表示部２５に表示する制御を行う。
【００８７】
また、第２実施形態による体重測定システム１０１のその他の構成は、上記第１実施形態と同様である。
【００８８】
次に、図１９および図２０を参照して、第２実施形態による体重測定システム１０１の体重測定処理フローについて説明する。体重計１における処理は、ＭＰＵ１６により行われ、ＴＶ４における処理は、ＭＰＵ４６により行われる。
【００８９】
まず、ＴＶ４では、ステップＳ６１において、体重測定モードに移行されたか否かが判断される。体重測定モードに移行されるまでこの判断が繰り返され、体重測定モードに移行されると、ステップＳ６２に進む。
【００９０】
次に、ステップＳ６２において、ユーザに体重計本体１１に乗るように指示する体重測定開始画面が表示部２５に表示される。次に、ステップＳ６３において、体重計１が検索される。
【００９１】
ステップＳ６４において、体重計本体１１が認識されたか否かが判断される。ステップＳ６４において、体重計本体１１が認識されなかった場合には、ステップＳ６３に戻る。ステップＳ６４において、体重計本体１１が認識された場合には、ステップＳ６５に進む。
【００９２】
一方、体重計１では、ステップＳ４１において、ユーザが体重計本体１１に乗ったか否かが判断される。ユーザが体重計本体１１に乗るまでこの判断が繰り返され、ユーザが体重計本体１１に乗ると、ステップＳ４２に進む。
【００９３】
ステップＳ４２において、ユーザが体重計本体１１に乗ったことがメカスイッチ１３（図１３参照）により検出されると、体重計本体１１の電源がオンにされる。次に、ステップＳ４３において、ＴＶ４が検索される。
【００９４】
ステップＳ４４において、ＴＶ４が認識されたか否かが判断される。ステップＳ４４において、ＴＶ４が認識されなかった場合には、ステップＳ４３に戻る。ステップＳ４４において、ＴＶ４が認識された場合には、ステップＳ４５に進む。ステップＳ４５において、キャリブレーション前の体重が測定される。
【００９５】
ステップＳ４６において、キャリブレーション前のユーザの体重測定結果がＴＶ４に送信される。具体的には、キャリブレーション前のユーザの体重測定結果が、Ｂｌｕｅｔｏｏｔｈ（登録商標）通信部１５（図２参照）を介して、体重計１からＴＶ４に送信される。
【００９６】
ＴＶ４では、ステップＳ６５において、キャリブレーション前の体重測定結果を受信したか否かが判断される。ステップＳ６５において、キャリブレーション前の体重測定結果を受信されなかった場合には、キャリブレーション前の体重測定結果を受信されるまでこの判断が繰り返され、キャリブレーション前の体重測定結果を受信されると、ステップＳ６６に進む。
【００９７】
次に、ステップＳ６６において、受信応答の送信を行う。その後、ステップＳ６７に進む。
【００９８】
ここで、第２実施形態では、ステップＳ６７において、前回の値から大きく変化しているか判断される。すなわち、受信したキャリブレーション前の体重測定結果（第１体重測定結果）と前回測定したキャリブレーション前の体重測定結果（第２体重測定結果）との差分が服補正スキップ重量よりも大きい場合、ステップＳ６８に進み、差分が服補正スキップ重量以下の場合、ステップＳ７０に進む。
【００９９】
次に、ステップＳ６８において、ユーザに対して着用している衣服についての問い合わせが行われる。具体的には、図１８に示すように、服装確認画面により、着用している衣服をユーザに選択させる問い合わせが表示部２５に表示される。
【０１００】
次に、ステップＳ６９において、着用している衣服についてユーザの回答を受信したか否かが判断される。着用している衣服についてユーザの回答を受信するまでこの判断が繰り返され、着用している衣服についてユーザの回答を受信すると、ステップＳ７０に進む。
【０１０１】
次に、ステップＳ７０において、表示部２５に衣服の重量を差分した体重および体重計から降りる指示を表示部２５に表示する。
【０１０２】
体重計１では、ステップＳ４７において、ＴＶ４から送信されたキャリブレーション前のユーザの体重測定結果の受信応答が受信されたか否かが判断される。ステップＳ４７において、ＴＶ４から送信されたキャリブレーション前のユーザの体重測定結果の受信応答が受信されなかった場合には、ステップＳ４６に戻る。ステップＳ４７において、ＴＶ４から送信されたキャリブレーション前のユーザの体重測定結果の受信応答が受信された場合には、ステップＳ４８に進む。
【０１０３】
ステップＳ４８において、メカスイッチ１３に基づいて、ユーザが体重計本体１１から降りたか否かが判断される。ユーザが体重計本体１１から降りるまでこの判断が繰り返され、ユーザが体重計本体１１から降りると、ステップＳ４９に進む。
【０１０４】
ステップＳ４９において、ユーザが体重計本体１１に乗っていない状態のキャリブレーション用の基準重量が測定される。次に、ステップＳ５０において、キャリブレーション用の基準重量の測定結果がＴＶ４に送信される。具体的には、キャリブレーション用の基準重量の測定結果が、Ｂｌｕｅｔｏｏｔｈ（登録商標）通信部１５を介して、体重計１からＴＶ４に送信される。
【０１０５】
そして、ＴＶ４では、ステップＳ７１において、体重計１から送信されたキャリブレーション用の基準重量の測定結果が受信されたか否かが判断される。キャリブレーション用の基準重量の測定結果が受信されるまでこの判断が繰り返され、キャリブレーション用の基準重量の測定結果が受信されると、ステップＳ７２に進む。
【０１０６】
ステップＳ７２において、キャリブレーション用の基準重量の測定結果が受信された旨の受信応答が体重計１に送信される。次に、ステップＳ７３において、キャリブレーション用の基準重量に基づいて、キャリブレーション後の体重が取得され、表示される。具体的には、キャリブレーション前の体重からキャリブレーション用の基準重量を差分して、キャリブレーション後の体重測定結果が取得される。そして、図６に示すように、キャリブレーション後の体重表示画面により、キャリブレーション後の体重が表示部２５に表示される。その後、測定結果取得処理フローが終了される。
【０１０７】
体重計１では、ステップＳ５１において、ＴＶ４からキャリブレーション用の基準重量の測定結果の受信応答が受信されたか否かが判断される。ステップＳ５１において、ＴＶ４からキャリブレーション用の基準重量の測定結果の受信応答が受信されなかった場合には、ステップＳ５０に戻る。ステップＳ５１において、ＴＶ４からキャリブレーション用の基準重量の測定結果の受信応答が受信された場合には、ステップＳ５２に進む。そして、ステップＳ５２において、体重計１の電源がオフにされ、その後、体重測定処理フローが終了される。
【０１０８】
次に、図２１を参照して、第２実施形態による体重測定システム１０１の設定変更処理フローについて説明する。ＴＶ４における処理は、ＭＰＵ４６により行われる。
【０１０９】
まず、ＴＶ４では、ステップＳ２０１において、ユーザのリモコン３の操作により、設定変更モードに移行されたか否かが判断される。設定変更モードに移行されるまでこの判断が繰り返され、設定変更モードに移行されると、ステップＳ２０２に進む。
【０１１０】
ここで、第２実施形態では、ステップＳ２０２において、図１４で示されるような設定変更メニュー画面が表示され、その後、ステップＳ２０３に進む。
【０１１１】
ステップＳ２０３において、「服補正」が選択されたか判断される。「服補正」が選択されていない場合は、ステップＳ２０７に進み、「服補正」が選択されている場合は、ステップＳ２０４に進む。
【０１１２】
ステップＳ２０４において、「ＯＮ」が選択されたか判断される。「ＯＮ」が選択されていない場合は、ステップＳ２０６に進み、「ＯＮ」が選択されている場合は、ステップＳ２０５に進む。
【０１１３】
ステップＳ２０５において、表示部２５に「ＯＮ」の選択（図１４参照）が表示される。その後、設定変更処理フローが終了される。
【０１１４】
ステップＳ２０６において、表示部２５に「ＯＦＦ」の選択が表示される。その後、設定変更処理フローが終了される。
【０１１５】
また、ステップＳ２０３において、「服補正」が選択されていない場合、ステップＳ２０７において、「服重量変更」が選択されたか判断される。「服重量変更」が選択されていない場合は、ステップＳ２１２に進み、「服重量変更」が選択されている場合は、ステップＳ２０８に進む。
【０１１６】
ステップＳ２０８において、表示部２５に服重量変更画面（図１５参照）が表示される。その後、ステップＳ２０９に進み、ステップＳ２０９において、画像が選択されたか判断される（図１８参照）。画像が選択されていない場合、この判断を画像が選択されるまで繰り返され、画像が選択された場合、ステップＳ２１０に進む。
【０１１７】
ステップＳ２１０において、表示部２５に数値設定画面（図１６参照）が表示される。その後、ステップＳ２１１に進み、ステップＳ２１１において、数値設定が終了したか判断される。数値設定が終了していない場合、この判断を数値設定が終了するまで繰り返され、数値設定が終了された後、設定変更処理フローが終了される。
【０１１８】
また、ステップＳ２０７において、「服重量変更」が選択されていない場合、ステップＳ２１２において、「服補正スキップ重量」が選択されたか判断される。「服補正スキップ重量」が選択されていない場合は、ステップＳ２０３に戻り、「服補正スキップ重量」が選択されている場合は、ステップＳ２１３に進む。
【０１１９】
ステップＳ２１３において、表示部２５に数値設定画面（図１６参照）が表示される。その後、ステップＳ２１４に進み、ステップＳ２１４において、数値設定が終了したか判断される。数値設定が終了していない場合、この判断を数値設定が終了するまで繰り返され、数値設定が終了された後、設定変更処理フローが終了される。
【０１２０】
第２実施形態では、以下のような効果を得ることができる。
【０１２１】
第２実施形態では、上記のように、ＭＰＵ４６は、キャリブレーション前の体重測定結果である第１体重測定結果と、キャリブレーション前の体重測定結果よりも以前のキャリブレーション前の体重測定結果である第２体重測定結果との差分を取得し、差分が服補正スキップ重量以下の場合に、問い合わせの表示を行うことなく、第２体重測定結果の取得時の衣服の重さに基づいて、衣服を着用していないとした場合のユーザの体重の測定結果を表示部２５に表示する制御を行うように構成する。これにより、第１体重測定結果が測定された時と、第２体重測定結果が測定された時とにおいて、ユーザが同じ衣服を着用している場合で差分の値が小さい場合、問い合わせの表示を省略できるので、衣服の重量を考慮しつつユーザが問い合わせに応答する手間を省くことができる。その結果、１回の測定における測定時間を短縮することができる。
【０１２２】
また、第２実施形態では、上記のように、ＭＰＵ４６は、キャリブレーション前の体重測定結果である第１体重測定結果と、キャリブレーション前の体重測定結果よりも以前のキャリブレーション前の体重測定結果である第２体重測定結果との差分を取得し、差分が服補正スキップ重量よりも大きい場合に、問い合わせの表示を行い、問い合わせに対するユーザのリモコン３を用いた回答に基づいて、衣服を着用していないとした場合のユーザの体重の測定結果を表示部２５に表示する制御を行うように構成している。これにより、第１体重測定結果が測定された時と、第２体重測定結果が測定された時とにおいて、ユーザが異なる衣服を着用している場合で差分の値が大きい場合のみ、問い合わせの表示を行うので、それ以外は問い合わせの表示を省略できる。その結果、衣服の重量を考慮しつつユーザが問い合わせに応答する手間を省くことができる。その結果、１回の測定における測定時間を短縮することができる。
【０１２３】
また、第２実施形態では、上記のように、ＭＰＵ４６は、ユーザによるリモコン３の操作により、衣服を着用していない場合のユーザの体重の測定をするか否かの設定と、衣服の重量の設定とを行うための設定変更モードに移行する制御を行うように構成している。これにより、衣服を着用していない場合のユーザの体重の測定をするか否かをユーザ自身が決定できるので、ユーザの要求に応じた測定結果をさらに速やかにユーザに提供することができる。また、ユーザが所有している衣服の重量を設定できるので、衣服の重量を考慮したより正確な測定結果をユーザに提供することができる。
【０１２４】
また、第２実施形態では、上記のように、ユーザの衣服を撮像する撮像部４７をさらに備え、ＭＰＵ４６は、撮像部４７で予め撮像された複数の衣服の画像を、問い合わせの際に選択可能に表示するとともに、選択された画像に基づいて、選択された画像の衣服を着用していないとした場合のユーザの体重を推測して、選択された画像の衣服を着用していないとした場合のユーザの体重の測定結果を表示部２５に表示する制御を行うように構成している。これにより、衣服の画像を表示して選択することができるので、問い合わせの表示を視覚的により認識し易い状態でユーザに提供することができる。また、夏服や冬服といった大雑把な単位で衣服を着用していない場合の体重を推測する場合と異なり、実際に着用している衣服の画像により衣服の特定を行うことができるので、より正確に衣服を着用していない場合の体重の推測を行うことができる。
【０１２５】
また、第２実施形態による体重測定システム１０１のその他の効果は、上記第１実施形態と同様である。
【０１２６】
（第３実施形態）
次に、図２２および図２３を参照して、第３実施形態による体重測定システム１０２の構成について説明する。第３実施形態では、体重計７およびＴＶ５とは別個に設けられたハードディスクレコーダ６をさらに備える。
【０１２７】
図２２および図２３に示すように、ハードディスクレコーダ６は、ＬＡＮによりＴＶ５に接続されている。そして、第３実施形態では、ハードディスクレコーダ６は、体重計７から測定結果を受信するＢｌｕｅｔｏｏｔｈ（登録商標）通信部６１と、Ｂｌｕｅｔｏｏｔｈ（登録商標）通信部６１により受信した測定結果を記憶する記憶部６４と、記憶部６４に記憶された測定結果をＴＶ５へ送信するＬＡＮ（Ｌｏｃａｌ  Ａｒｅａ  Ｎｅｔｗｏｒｋ）通信部６２と、ＭＰＵ６３とを含み、体重計７およびＴＶ５とは別個に設けられている。なお、ハードディスクレコーダ６は、本発明の「外部記憶装置」の一例である。また、Ｂｌｕｅｔｏｏｔｈ（登録商標）通信部６１は、本発明の「外部記憶装置側受信部」の一例である。そして、ＬＡＮ通信部６２は、本発明の「外部記憶装置側送信部」の一例である。
【０１２８】
具体的には、ハードディスクレコーダ６のＭＰＵ６３は、Ｂｌｕｅｔｏｏｔｈ（登録商標）通信部６１を介して、キャリブレーション前の体重測定結果およびキャリブレーション用の基準重量の測定結果を体重計７から受信した後、受信した体重測定結果および基準重量の測定結果を記憶部６４に記憶する。そして、ＭＰＵ６３は、記憶部６４に記憶された体重測定結果および基準重量の測定結果を、ＬＡＮ通信部６２を介して、ＴＶ５へ送信する制御を行う。
【０１２９】
また、第３実施形態では、体重計７は、体重計本体７１と、ハードディスクレコーダ６へ体重測定結果を送信するＢｌｕｅｔｏｏｔｈ（登録商標）通信部７３と、ＭＰＵ７２とを備える。また、Ｂｌｕｅｔｏｏｔｈ（登録商標）通信部７３は、本発明の「測定装置側通信部」の一例である。
【０１３０】
また、第３実施形態では、ＴＶ５は、ＭＰＵ５１と、メモリ５２と、ハードディスクレコーダ６から体重測定結果を受信するＬＡＮ通信部５３とを備える。また、ＬＡＮ通信部５３は、本発明の「表示装置側通信部」の一例である。
【０１３１】
また、第３実施形態による体重測定システム１０２のその他の構成は、上記第１実施形態と同様である。
【０１３２】
次に、図２４〜図２６を参照して、第３実施形態による体重測定システム１０２の体重測定処理フローについて説明する。体重計７における処理は、ＭＰＵ７２により行われ、ＴＶ５における処理は、ＭＰＵ５１により行われ、ハードディスクレコーダ６における処理は、ＭＰＵ６３により行われる。
【０１３３】
まず、図２４に示すように、ＴＶ５では、ステップＳ１４１において、体重測定モードに移行されたか否かが判断される。体重測定モードに移行されるまでこの判断が繰り返され、体重測定モードに移行されると、ステップＳ１４２に進む。
【０１３４】
次に、ステップＳ１４２において、ユーザに体重計本体７１に乗るように指示する体重測定開始画面が表示部２５に表示される。次に、ステップＳ１４３において、ハードディスクレコーダ６が検索される。
【０１３５】
ステップＳ１４４において、ハードディスクレコーダ６が認識されたか否かが判断される。ステップＳ１４４において、ハードディスクレコーダ６が認識されなかった場合には、ステップＳ１４３に戻る。ステップＳ１４４において、ハードディスクレコーダ６が認識された場合には、ステップＳ１４５に進む。
【０１３６】
ステップＳ１４５において、ユーザに対して着用している衣服についての問い合わせが行われる。具体的には、図４に示すように、服装確認画面により、着用している衣服が「夏服」または「冬服」であるか、あるいは、「着用していない」のいずれかをユーザに選択させる問い合わせが表示部２５に表示される。
【０１３７】
次に、ステップＳ１４６において、着用している衣服についてユーザの回答を受信したか否かが判断される。着用している衣服についてユーザの回答を受信するまでこの判断が繰り返され、着用している衣服についてユーザの回答を受信すると、ステップＳ１４７（図２５参照）に進む。
【０１３８】
一方、体重計７では、ステップＳ１０１において、ユーザが体重計本体７１に乗ったか否かが判断される。ユーザが体重計本体７１に乗るまでこの判断が繰り返され、ユーザが体重計本体７１に乗ると、ステップＳ１０２に進む。ユーザが体重計本体７１に乗ったことがメカスイッチ１３により検出されると、ＭＰＵ７２により体重計７の電源がオン状態にされ、キャリブレーション前のユーザの体重が測定される。
【０１３９】
ステップＳ１０２において、ユーザが体重計本体７１に乗ったことがメカスイッチ１３により検出されると、ＭＰＵ７２により体重計７の電源がオン状態にされる。次に、ステップＳ１０３において、ハードディスクレコーダ６が検索される。
【０１４０】
ステップＳ１０４において、ハードディスクレコーダ６が認識されたか否かが判断される。ステップＳ１０４において、ハードディスクレコーダ６が認識されなかった場合には、ステップＳ１０３に戻る。ステップＳ１０４において、ハードディスクレコーダ６が認識された場合には、ステップＳ１０５に進む。
【０１４１】
ステップＳ１０５において、キャリブレーション前のユーザの体重の測定が行われる。その後、ステップＳ１０６に進む。
【０１４２】
ステップＳ１０６において、キャリブレーション前のユーザの体重測定結果がハードディスクレコーダ６に送信される。具体的には、キャリブレーション前のユーザの体重測定結果が、Ｂｌｕｅｔｏｏｔｈ（登録商標）通信部７３（図２３参照）を介して、体重計７からハードディスクレコーダ６に送信される。
【０１４３】
また、ハードディスクレコーダ６では、ステップＳ１２１において、体重計７が検索される。そして、ステップＳ１２２において、体重計本体７１が認識されなかった場合には、ステップＳ１２１に戻る。ステップＳ１２２において、体重計本体７１が認識された場合には、ステップＳ１２３に進む。
【０１４４】
ステップＳ１２３において、キャリブレーション前のユーザの体重測定結果が受信されたか否かが判断される。ステップＳ１２３において、キャリブレーション前のユーザの体重測定結果が受信されなかった場合には、受信されるまでこの判断が繰り返される。受信されると、ステップＳ１２４（図２５参照）に進む。
【０１４５】
ステップＳ１２４において、体重計７に受信応答の信号が送信される。そして、ステップＳ１２５に進む。
【０１４６】
ステップＳ１２５において、キャリブレーション前のユーザの体重測定結果が記憶部６４に記憶される。そして、ステップＳ１２６に進む。
【０１４７】
ステップＳ１２６において、ＴＶ５が検索される。そして、ステップＳ１２７において、ＴＶ５が認識されなかった場合には、ステップＳ１２６に戻る。ステップＳ１２７において、ＴＶ５が認識された場合には、ステップＳ１２８に進む。
【０１４８】
ステップＳ１２８において、キャリブレーション前の体重測定結果をＴＶ５に送信する。そして、ステップＳ１２９に進む。
【０１４９】
体重計７では、ステップＳ１０７において、キャリブレーション前の体重測定結果の受信応答を受信されたか否かが判断される。ステップＳ１０７において、キャリブレーション前の体重測定結果の受信応答が受信されなかった場合には、ステップＳ１０６に戻る。受信されると、ステップＳ１０８に進む。
【０１５０】
ステップＳ１０８において、メカスイッチ１３に基づいて、ユーザが体重計本体７１から降りたか否かが判断される。ユーザが体重計本体７１から降りるまでこの判断が繰り返され、ユーザが体重計本体７１から降りると、ステップＳ１０９に進む。
【０１５１】
ステップＳ１０９において、ユーザが体重計本体７１に乗っていない状態のキャリブレーション用の基準重量が測定される。次に、ステップＳ１１０（図２６参照）において、キャリブレーション用の基準重量の測定結果がハードディスクレコーダ６に送信される。
【０１５２】
ＴＶ５では、ステップＳ１４７において、キャリブレーション前の体重測定結果をハードディスクレコーダ６から受信したか否かが判断される。キャリブレーション前の体重測定結果をハードディスクレコーダ６から受信するまでこの判断が繰り返され、キャリブレーション前の体重測定結果をハードディスクレコーダ６から受信すると、ステップＳ１４８に進む。
【０１５３】
ステップＳ１４８において、キャリブレーション前のユーザの体重測定結果が受信された旨の受信応答がハードディスクレコーダ６に送信される。次に、ステップＳ１４９において、図５に示すように、キャリブレーション前の体重表示画面により、体重計本体７１から降りる旨の指示および衣類の重量を差分したキャリブレーション前の体重測定結果が表示部２５に表示される。
【０１５４】
図２６に示すように、ハードディスクレコーダ６では、ステップＳ１３０において、キャリブレーション用の基準重量の測定結果を体重計７から受信したか否かが判断される。キャリブレーション用の基準重量の測定結果を体重計７から受信するまでこの判断が繰り返され、キャリブレーション用の基準重量の測定結果を体重計７から受信すると、ステップＳ１３１に進む。
【０１５５】
ステップＳ１３１において、キャリブレーション用の基準重量の測定結果の受信応答が体重計７に送信される。そして、ステップＳ１３２において、キャリブレーション用の基準重量の測定結果が記憶部６４に記憶される。また、ステップＳ１３３において、キャリブレーション用の基準重量の測定結果がＴＶ５に送信される。
【０１５６】
体重計７では、ステップＳ１１１において、ハードディスクレコーダ６から送信されたキャリブレーション用の基準重量の測定結果の受信応答が受信されたか否かが判断される。キャリブレーション用の基準重量の測定結果の受信応答が受信されるまでこの判断は繰り返され、キャリブレーション用の基準重量の測定結果の受信応答が受信された場合には、ステップＳ１１２に進む。そして、ステップＳ１１２において、体重計７の電源がオフにされる。その後、体重測定処理フローが終了される。
【０１５７】
ＴＶ５では、ステップＳ１５０において、ハードディスクレコーダ６から送信されたキャリブレーション用の基準重量の測定結果が受信されたか否かが判断される。キャリブレーション用の基準重量の測定結果が受信されるまでこの判断は繰り返され、キャリブレーション用の基準重量の測定結果が受信された場合には、ステップＳ１５１に進む。
【０１５８】
ステップＳ１５１において、ハードディスクレコーダ６に受信応答が送信される。そして、ステップ１５２において、キャリブレーション用の基準重量に基づきキャリブレーション後の体重を取得して表示する。その後、測定結果取得処理フローが終了される。
【０１５９】
ハードディスクレコーダ６では、ステップＳ１３４において、ＴＶ５から送信されたキャリブレーション用の基準重量の測定結果の受信応答が受信されたか否かが判断される。キャリブレーション用の基準重量の測定結果の受信応答が受信されるまでこの判断は繰り返され、キャリブレーション用の基準重量の測定結果の受信応答が受信された場合には、測定結果記憶処理フローが終了される。
【０１６０】
第３実施形態では、以下のような効果を得ることができる。
【０１６１】
第３実施形態では、上記のように、体重測定システム１０２は、体重計７から測定結果を受信するＢｌｕｅｔｏｏｔｈ（登録商標）通信部６１と、Ｂｌｕｅｔｏｏｔｈ（登録商標）通信部６１により受信した測定結果を記憶する記憶部６４と、記憶部６４に記憶された測定結果をＴＶ５へ送信するＬＡＮ通信部６２とを含む。また、体重計７およびＴＶ５とは別個にハードディスクレコーダ６が設けられている。これにより、体重計７およびＴＶ５にそれぞれ記憶部を設ける必要はないので、体重計７およびＴＶ５の構成を簡略化することができる。また、過去に体重測定結果を表示したＴＶ５とは異なるＴＶ５でも、その体重測定結果を表示することができるので、ユーザにとって利便性の高いＴＶ５を提供することができる。また、第３実施形態による体重測定システム１０２のその他の効果は、上記第１実施形態と同様である。
【０１６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１６３】
たとえば、第１〜第３実施形態では、キャリブレーション後の体重測定結果を１回の体重測定毎に表示（出力）する例を示したが、本発明はこれに限らない。本発明は、複数の体重測定後にキャリブレーション後の体重測定結果を表示してもよい。たとえば、毎日１回体重測定を行う場合、それぞれの体重測定時には、キャリブレーション前の体重測定結果のみを表示（出力）して、体重測定開始１週間後にまとめて、キャリブレーション後の体重測定結果を表示するように制御してもよい。
【０１６４】
また、第１〜第３実施形態では、キャリブレーション前の体重測定結果およびキャリブレーション後の体重測定結果をＴＶ（表示装置）に表示（出力）する例を示したが、本発明はこれに限られない。本発明は、キャリブレーション前の体重測定結果およびキャリブレーション後の体重測定結果を体重測定機能を有する測定装置に出力してもよい。たとえば、体重測定機能を有する測定装置に表示部を設けるとともに、キャリブレーション前の体重測定結果およびキャリブレーション後の体重測定結果を表示（出力）してもよい。
【０１６５】
また、第１〜第３実施形態では、ＴＶ（表示装置）側で、キャリブレーション前の体重とキャリブレーション用の基準体重との差分を演算する例を示したが、本発明はこれに限られない。本発明は、体重測定機能を有する測定装置側で、キャリブレーション前の体重とキャリブレーション用の基準体重との差分を演算してもよい。
【０１６６】
また、第１〜第３実施形態では、ユーザが着用している衣服についての問い合わせに対するユーザの回答に基づいて、衣服を着用していないユーザの体重を推測する例を示したが、本発明はこれに限られない。本発明では、たとえば、表示装置が有する時計機能により日時や季節を判断し、ユーザが着用している衣服を推測することにより衣服を着用していないユーザの体重を推測してもよい。また、表示装置にカメラを設けて、カメラで撮像したユーザの画像に基づいて、ユーザが着用している衣服を推測することにより衣服を着用していないユーザの体重を推測してもよい。
【０１６７】
また、第１〜第３実施形態では、体重計（体重測定機能を有する測定装置）からＴＶ（表示装置）に測定結果を送信する例を示したが、本発明はこれに限られない。本発明では、図１１に示すように、体重測定機能を有する測定装置によりＴＶ２が認識されない（たとえば、脱衣所に配置されている体重測定機能を有する測定装置によりユーザが体重を測定する）場合には、体重測定機能を有する測定装置からユーザのスマートフォン８（携帯型端末装置）に測定結果を送信してもよい。この場合、携帯型端末装置は、ＭＰＵ２６の測定結果取得処理（図１０参照）のＳ２１〜Ｓ３２と同様の処理を行うように構成されている。また、ユーザのスマートフォン８を、予め体重測定機能を有する測定装置に登録しておくことによって、ユーザ以外の第三者の携帯型端末装置に測定結果が送信されてしまうのを防止することができる。なお、スマートフォン８は、本発明の「携帯型端末装置」、「表示装置」および「外部表示装置」の一例である。
【０１６８】
また、第１〜第３実施形態では、ユーザの体重を測定する際に、ユーザの体重を測定する体重測定モードに関する画面だけを表示する例を示したが、本発明はこれに限られない。本発明では、図１２に示すように、受信した放送番組を視聴しながら、ユーザの体重を測定する体重測定モードに関する画面をＯＳＤ（Ｏｎ−Ｓｃｒｅｅｎ  Ｄｉｓｐｌａｙ）機能で表示してもよい。
【０１６９】
また、第１〜第３実施形態では、キャリブレーション前の体重測定結果を送信（出力）した後、キャリブレーション用の基準体重を測定する例を示したが、本発明はこれに限られない。本発明では、キャリブレーション前の体重測定後にユーザが体重測定機能を有する測定装置から降りた後に体重を出力する場合には、体重を出力するのと並行して、キャリブレーション用の基準体重を測定してもよい。これにより、より速やかにキャリブレーション用の基準体重の測定を開始することができる。
【０１７０】
また、第１〜第３実施形態では、本発明の通信部としてＢｌｕｅｔｏｏｔｈ（登録商標）通信部を設けた例を示したが、本発明はこれに限られない。本発明では、たとえば、赤外線センサの通信部など、Ｂｌｕｅｔｏｏｔｈ（登録商標）以外の通信部であってもよい。
【０１７１】
また、第１〜第３実施形態では、ユーザが体重計本体（測定装置本体）に乗ったことがメカスイッチ（検知部）により検知されたことに基づいて、制御部より測定装置本体の電源をオンにする例を示したが、本発明はこれに限られない。本発明では、手動で測定装置本体の電源をオンするようにしてもよい。
【０１７２】
また、第２実施形態では、第２体重測定結果を前回の体重測定時のキャリブレーション前の体重測定結果とする例を示したが、本発明はこれに限られない。本発明では、第２体重測定結果を前回よりも以前の体重測定時のキャリブレーション前の体重測定結果としてもよい。
【０１７３】
また、第２実施形態では、衣服の画像の撮像を体重測定前に行う例を示したが、本発明はこれに限られない。本発明では、衣服の画像の撮像を体重測定中に行ってもよい。そして、体重測定中または体重測定後に、ユーザのリモコン操作によって、衣服の重量を設定してもよい。
【０１７４】
また、第２実施形態では、衣服についての問い合わせにおける服選択画面に３枚の予め撮像された画像を表示部に表示する例を示したが、本発明はこれに限られない。本発明では、表示部に予め撮像された画像を１枚または２枚表示してもよいし、４枚以上表示してもよい。
【０１７５】
また、第２実施形態では、所定の閾値を３００ｇとする例を示したが、本発明はこれに限られない。本発明では、所定の閾値を３００ｇ以外の設定値としてもよい。たとえば、所定の閾値を０ｇとして、キャリブレーション前の体重測定結果に少なくとも変化があれば衣服についての問い合わせを行うように設定してもよい。
【０１７６】
また、第３実施形態では、本発明の外部記憶装置としてハードディスクレコーダを用いる例を示したが、本発明はこれに限られない。本発明では、外部記憶装置としてハードディスクレコーダ以外の記憶装置を用いてもよい。たとえば、ＳＳＤ（Ｓｏｌｉｄ  Ｓｔａｔｅ  Ｄｉｓｋ）の記憶装置などを用いてもよい。
【０１７７】
また、第３実施形態では、体重測定システムにおいて、測定装置と、ＴＶと、ハードディスクレコーダとがそれぞれ１台ずつ設けられる例を示したが、本発明はこれに限られない。本発明では、複数の測定装置で測定された測定結果を１台（または複数台）のハードディスクレコーダへ送信し、ハードディスクレコーダの記憶部に測定結果を記憶するように構成してもよい。また、１台（または複数台）のハードディスクレコーダから複数のＴＶに測定結果を送信し、複数のＴＶの表示部に測定結果を表示させてもよい。
【０１７８】
また、第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１７９】
１、７  体重計（体重測定機能を有する測定装置）
２、４、５  ＴＶ（表示装置、外部表示装置）
３  リモコン
６  ハードディスクレコーダ（外部記憶装置）
８  スマートフォン（携帯型端末装置、表示装置、外部表示装置）
１１、７１  体重計本体（測定装置本体）
１２  荷重センサ（測定部）
１３  メカスイッチ（検知部）
１５  Ｂｌｕｅｔｏｏｔｈ（登録商標）通信部（測定装置側通信部）
１６  ＭＰＵ（測定装置側制御部）
２２  Ｂｌｕｅｔｏｏｔｈ（登録商標）通信部（表示装置側受信部）
２５  表示部
２６  ＭＰＵ（表示装置側制御部）
４６  ＭＰＵ（表示装置側制御部）
４７  撮像部
５１  ＭＰＵ（表示装置側制御部）
５３  ＬＡＮ通信部（表示装置側通信部）
６１  Ｂｌｕｅｔｏｏｔｈ（登録商標）通信部（外部記憶装置側受信部）
６２  ＬＡＮ通信部（外部記憶装置側送信部）
７２  ＭＰＵ（測定装置側制御部）
１００  体重測定システム
【図１】
2014089177.tif 000003
【図２】
2014089177.tif 000004
【図３】
2014089177.tif 000005
【図４】
2014089177.tif 000006
【図５】
2014089177.tif 000007
【図６】
2014089177.tif 000008
【図７】
2014089177.tif 000009
【図８】
2014089177.tif 000010
【図９】
2014089177.tif 000011
【図１０】
2014089177.tif 000012
【図１１】
2014089177.tif 000013
【図１２】
2014089177.tif 000014
【図１３】
2014089177.tif 000015
【図１４】
2014089177.tif 000016
【図１５】
2014089177.tif 000017
【図１６】
2014089177.tif 000018
【図１７】
2014089177.tif 000019
【図１８】
2014089177.tif 000020
【図１９】
2014089177.tif 000021
【図２０】
2014089177.tif 000022
【図２１】
2014089177.tif 000023
【図２２】
2014089177.tif 000024
【図２３】
2014089177.tif 000025
【図２４】
2014089177.tif 000026
【図２５】
2014089177.tif 000027
【図２６】
2014089177.tif 000028